(57)【要約】【課題】  本発明は、上框の見付寸法を大きくすることなく、室内外の換気量を充分に確保できる引戸を提供することにある。【解決手段】  上框３とレール受部材４と弾性体６とを備え、上框３は、上枠レール７のガイド溝５を上面に有し且つガイド溝５の室内側壁１９ａ及び室外側壁１９ｂに換気孔９ａ，９ｂを設けており、レール受部材４は、上方に開口する略Ｕ字形をなすと共に、ガイド溝５内に長手方向に沿って配置し、室内側端部２３ａを換気孔９ａより上方のガイド溝５の室内側壁１９ａに、室外側端部２３ｂを換気孔９ｂより上方のガイド溝５の室外側壁１９ｂに上下動自在に取り付けてあり、ガイド溝５とレール受部材４との間の空間を換気孔９ａ，９ｂにより室内外に連通した換気路Ｓとし、弾性体６は、換気路Ｓに配置してあり、レール受部材４を上方に向けて付勢することを特徴とする。【選択図】      図１
2008082139.tif 000002
【特許請求の範囲】
【請求項１】
上框とレール受部材と弾性体とを備え、上框は、上枠レールのガイド溝を上面に有し且つガイド溝の室内側壁及び室外側壁に換気孔を設けており、レール受部材は、上方に開口する略Ｕ字形をなすと共に、ガイド溝内に長手方向に沿って配置し、室内側端部を換気孔より上方のガイド溝の室内側壁に、室外側端部を換気孔より上方のガイド溝の室外側壁に上下動自在に取り付けてあり、ガイド溝とレール受部材との間の空間を換気孔により室内外に連通した換気路とし、弾性体は、換気路に配置してあり、レール受部材を上方に向けて付勢することを特徴とする引戸。
【発明の詳細な説明】
【技術分野】
【０００１】
本発明は、上框に換気路を有する引戸に関するものである。
【背景技術】
【０００２】
換気框を有する引戸として例えば、特開２００２−１８８３７４号公報のものがあり、この引戸は、上框の上面にサッシ枠の上枠レールを呑み込むための断面凹状をなすガイド溝を設け、上框の下面にはガラス板を保持するための下方受部を有するもので、ガイド溝と下方受部との間に中空部を形成して換気路とするものである。このような引戸をサッシ枠から取り外すときには、まず、引戸を一旦持ち上げてサッシ枠の下枠レールから引戸の下框を解除し、次に、引戸の上框を基点として室内外側のいずれかに傾けた後、上枠レールから上框を解除することで引戸の取り外しを行い、一方、引戸を取り付けるときには、前述した引戸の取り外しのときの手順とは逆の手順となり、引戸の上框を上枠レールに差し込んだ後、下框を下枠レールに落とし込んで引戸の取り付けを行なうものであった。このため、上框のガイド凹部の底は、引戸を持ち上げて浮かす分だけ、サッシ枠に引戸が収まった状態にあるときの上枠レールの呑み込みよりも深く形成しなければならず、このことから、上框に換気孔を設けて換気框とするには、換気量を確保するため上框の見付寸法を大きくしなければならない問題点があった。
【特許文献１】特開２００２−１８８３７４号
【発明の開示】
【発明が解決しようとする課題】
【０００３】
本発明は以上に述べたような実情に鑑み、上框の見付寸法を大きくすることなく、室内外の換気量を充分に確保できる引戸を提供することにある。
【課題を解決するための手段】
【０００４】
本発明は、上框とレール受部材と弾性体とを備え、上框は、上枠レールのガイド溝を上面に有し且つガイド溝の室内側壁及び室外側壁に換気孔を設けており、レール受部材は、上方に開口する略Ｕ字形をなすと共に、ガイド溝内に長手方向に沿って配置し、室内側端部を換気孔より上方のガイド溝の室内側壁に、室外側端部を換気孔より上方のガイド溝の室外側壁に上下動自在に取り付けてあり、ガイド溝とレール受部材との間の空間を換気孔により室内外に連通した換気路とし、弾性体は、換気路に配置してあり、レール受部材を上方に向けて付勢することを特徴とする。
【発明の効果】
【０００５】
本発明の引戸によれば、引戸の脱着時に上枠レールにレール受部材を押し当てたときのみ、弾性体の付勢力に抗してレール受部材が上框のガイド溝内の下方に移動し、引戸がサッシ枠に収まれば、弾性体の付勢力によってレール受部材がガイド溝内の元の位置（上方）に復帰するので、レール受部材が上框のガイド溝内の換気路を狭めることがなく、これにより、上框の見付寸法を大きくすることなく換気量を確保することができる。またレール受部材は、略Ｕ字形をなすことで、レール受部材と上框のガイド溝の側壁部との間に空間を設けて、換気孔及び上框の換気路を効率的に大きく確保しているので室内外の換気を確実に行える。
【発明を実施するための最良の形態】
【０００６】
以下、本発明の引戸の実施形態を図面に基づいて説明する。
図１は、本発明の引戸の上部を拡大して示す縦断面図であり、図２（ａ）（ｂ）は、本発明の引戸の作用図を示すものであり、図３は、図２（ａ）（ｂ）の全体図であり、図４（ａ）は、本発明の引戸の一部を省略して全体を示す正面図であり、図４（ｂ）は、側面図であり、図５は、本発明の他の実施形態の引戸の一部を省略して要部を拡大した正面図である。
この引戸１ａは、図４（ａ）（ｂ）のように、上枠２、下枠１４、縦枠１６,１６により四方を囲む引違いサッシ枠Ｗの内側の引戸１ａであり、上框３に換気路Ｓを有するものである。引戸１ａは、上框３、下框１２、縦框１７，１７により四方を囲むと共に、すべての框３，１２，１７,１７の内縁側には、ガラス板１３の周縁部を保持するための凹状をなす受部１８を有している（図４（ｂ）参照）。上框３は、図１に示すように、上枠２から垂下した上枠レール７の下端を呑み込むガイド溝５を上面に有しており、上框３のガイド溝５の室内側壁１９ａと室外側壁１９ｂには換気孔９ａ,９ｂを設けており、上框３のガイド溝５の室内側壁１９ａと室外側壁１９ｂの上部位置には、サッシ枠Ｗに引戸１ａを取り付けたときにガイド溝５内に呑み込んだ上枠レール７に向けて突出する規制部２１ａ，２１ｂを設けてある。さらにガイド溝５内には、溝１０を有するレール受部材４が上下動自在に納まっており、レール受部材４の下方とガイド溝５内の底部との間には、レール受部材４をガイド溝５の上方に向けて付勢する板ばね（弾性体）６を配設しており、ガイド溝５とレール受部材４との間の空間において換気孔９ａ，９ｂにより室内外に連通した換気路Ｓとしている。尚、符号２２は、室内側の換気孔９ａに取り付ける防塵フィルタであり、室内にホコリが入るのを防ぐものである。また本実施形態による換気孔９ａ,９ｂは、４ｍｍ×１０ｍｍの方形をなす孔を上框３の長手方向に１０ｍｍのピッチで複数箇所に設けてある。また符号１ｂは、サッシ枠Ｗの外側の引戸を示すものである。
【０００７】
レール受部材４は、上框３のガイド溝５の長手方向に配設してあり、レール受部材４の上面には上方に開口した溝１０を有することで、断面形状が略Ｕ字形をなしており、レール受部材４の溝１０の室内側端部２３ａと室外側端部２３ｂには、溝１０の側からガイド溝５の室内側壁１９ａと室外側壁１９ｂに当接するまで水平方向に伸びると共に、室内側端部２３ａと室外側端部２３ｂには、上方に垂直に突出した起立部２０ａ，２０ｂを有している。また本実施によるレール受部材４はアルミにより成形してある。
【０００８】
板ばね（弾性体）６は、レール受部材４の下面とガイド溝５の底部（具体的には、上框３のタッピングホールの位置としている）との間に設けてあり、上框３及びレール受部材４の長手方向の複数の箇所に適宜配してある。この板ばね（弾性体）６の付勢力により上方に押されたレール受部材４は、ガイド溝５内を上方に移動して起立部２０ａ，２０ｂの上端部を上框３の規制部２１ａ，２１ｂに対して当接し、これにより、レール受部材４が板ばね（弾性体）６で上方に押されながらもガイド溝５内から上方に抜け出なくなると共に、サッシ枠Ｗに対する引戸１ａの着脱時以外は、レール受部材４がガイド溝５内の上方に位置しているので、ガイド溝５とレール受部材４との間の空間に一定容量の換気路Ｓを常に確保する。
【０００９】
上框３の両側の小口には、例えば樹脂、もしくは通気性が皆無であり且つ変形および復元可能な素材で成形した小口キャップ１１ａ,１１ｂを配設しており、この小口キャップ１１ａ，１１ｂとレール受部材４の下面とからガイド溝５内の空間を囲むことにより、引戸１ａは、換気路Ｓから上框３の換気孔９ａ,９ｂを通して室内の換気を行なうことが可能となる（図４（ａ）（ｂ）参照）。
【００１０】
本発明の引戸におけるサッシ枠Ｗに対する着脱の手順、及び着脱するときのレール受部材４の上框３のガイド溝５内での上下の動きを図２（ａ）（ｂ）と図３に基づいて以下に説明する。尚、ここでは本発明の実施形態として、引違い窓の内側の引戸１ａをサッシ枠Ｗから着脱する場合について例示する。
図２（ａ）と図３のように、まず、引戸１ａを持ち上げて下框１２を下枠レール１５から離脱する。このときガイド溝５内にあるレール受部材４は、溝１０の底部が上枠レール７の下端にて押されることで、板ばね（弾性体）６における上方に向かう付勢力に抗してガイド溝５内を下方に移動する。次に図２（ｂ）及び図３のように、下框１２を下枠１４の下枠レール１５から解除した引戸１ａは、上枠レール７の下端とガイド溝５の底部を基点にして室内側に傾けた後に、引戸１ａの上框３を上枠レール７から外すことにより、サッシ枠Ｗからの引戸１ａの取り外しを完了する。このときレール受部材４は、上枠レール７の下端の押し付けから解除されることで、板ばね（弾性体）６の上方に向かう付勢力にてガイド溝５内を押し上げられると共に、レール受部材４の起立部２０ａ,２０ｂが上框３の規制部２１ａ,２１ｂに対して当接し、レール受部材４が元の位置に戻る。一方、サッシ枠Ｗに引戸１ａを取り付けるときには、前述した引戸１ａの取り外しのときの手順とは逆に、上枠レール７の下端に対してレール受部材４の溝１０の底部を押し付けた後に、上枠レール７及び上框３を基点として引戸１ａを室外側に傾けて引戸１ａを垂直姿勢にし、そのまま下枠１４の下枠レール１５に下框１２を落とし込むことにより、レール受部材４が上方に移動してサッシ枠Ｗへの引戸１ａの取り付けを完了する。
【００１１】
ここでレール受部材４は、略Ｕ字型をなすものであるが、例えば溝１０の底部の小さなＶ字形や、レール受部材４の溝１０の室内外側壁に高低差のあるものや、溝１０の室内外側壁を垂直に形成して溝底部のコーナー部を面取りしたものなども含まれ、換気孔９ａ,９ｂとの間に空間を形成し、レール受部材４の下方とガイド溝５との間の換気路Ｓを大きく形成できればよく、また材質についてはアルミの他に樹脂などで成形してもよい。板ばね（弾性体）６は、換気路Ｓの通気を妨げることなく、レール受部材４をガイド溝５内に安定して取り付けることのできる大きさや形状、数、配置位置にあればよく（図４（ａ）参照）、板ばねのように押して戻るようなもの、例えばスポンジのようなものであってもよく、また図５のように、小口キャップ１１ａ，１１ｂと板ばね６を一体的に組み合わせるものであってもよい（小口キャップ１１ｂについては、小口キャップ１１ａと同一のものであるため図示は省略する）。また換気孔９ａ,９ｂについても、ガイド溝５の室内側壁１９ａと室外側壁１９ｂに対して設ける数や位置、大きさなどは限定しないが、上框３の耐久性や換気路Ｓの換気性能を損なわない程度のものとする。上框３には、スライダーを取り付けて換気孔９ａを開閉するようにしてもよい。また本実施形態では引違い窓を例として挙げたが、上框３に換気路Ｓを有する引戸としては、この他に片引き窓や引違い戸、片引き戸、テラス戸などの引戸であってもよく限定されない。
【図面の簡単な説明】
【００１２】
【図１】本発明の要部を拡大した縦断面図である。
【図２】図２（ａ）及び図２（ｂ）は、本発明におけるサッシ枠からの引戸の着脱の手順について、要部を拡大した縦断面図である。
【図３】本発明におけるサッシ枠から引戸を着脱するときの全体を示す作用図である。
【図４】図４（ａ）は、本発明の引戸の一部を省略した正面図であり、図４（ｂ）は、要部を拡大した側面図である。
【図５】本発明の他の実施形態の引戸の一部を省略して要部を拡大した正面図である。
【符号の説明】
【００１３】
１ａ  内側の引戸（引戸）
１ｂ  外側の引戸（引戸）
３  上框
４  レール受部材
５  ガイド溝
６  板ばね（弾性体）
７  上枠レール
９ａ，９ｂ  換気孔
１９ａ  室内側壁
１９ｂ  室外側壁
２３ａ  室内側端部
２３ｂ  室外側端部
Ｓ  換気路
Ｗ  サッシ枠
【図１】
2008082139.tif 000003
【図２】
2008082139.tif 000004
【図３】
2008082139.tif 000005
【図４】
2008082139.tif 000006
【図５】
2008082139.tif 000007